(57)【要約】      （修正有）【課題】装着作業が簡易であり、一方、使用者に応じた装着度合いの調製が容易であり確実に装着ができ簡単に外れたりし難いピロー付きアイマスクを提供する。【解決手段】ピロー付きアイマスク１において、アイマスク本体１０の両側部には、伸縮自在に設けられるとともに使用者の後頭部に装着された際に使用者の目の付近及び後頭部の周りにアイマスク本体１０及びピロー２０を支持可能に構成されたベルト３０が取り付けられており、ベルト３０は、ピロー２０に設けられた挿通部内に挿通されており、ベルト３０は、その途中に設けられたコキ環３２により、長さを調節可能に構成されるものとした。【選択図】図１
0003225894.tif 000002
【実用新案登録請求の範囲】
【請求項１】
使用者の目の周囲を被覆可能なアイマスク本体と、使用者の後頭部を支持可能なピローとを備え、
前記アイマスク本体の両側部には、伸縮自在に設けられるとともに使用者の後頭部に装着された際に使用者の目の付近及び後頭部の周りに前記アイマスク本体及び前記ピローを支持可能に構成されたバンドが取り付けられており、
前記バンドは、前記ピローに設けられた挿通部内に挿通されており、
前記バンドは、その途中に設けられたコキ環により、長さを調節可能に構成されているピロー付きアイマスク。
【請求項２】
前記ピローに設けられた前記挿通部は、使用者の後頭部が接触する部位と反対側の前記ピローの外側の部位に設けられている請求項１に記載のピロー付きアイマスク。
【請求項３】
前記ピロー及び前記アイマスク本体は、いずれも横長に形成された請求項１又は請求項２に記載のピロー付きアイマスク。
【請求項４】
前記ピローの内側面には、その左右方向の中央付近に、上下に沿って形成された窪みが設けられている請求項１から請求項３のいずれかに記載のピロー付きアイマスク。
【請求項５】
前記アイマスク本体の下部中央付近には、前記アイマスク本体を使用者の鼻に支持させる鼻当て部材が設けられている請求項１から請求項４のいずれかに記載のピロー付きアイマスク。
【請求項６】
使用者の目の周囲を被覆可能なアイマスク本体と、使用者の後頭部を支持可能なピローとを備え、前記アイマスク本体の両側部には、伸縮自在に設けられるとともに使用者の後頭部に装着された際に使用者の目の付近及び後頭部の周りに前記アイマスク本体及び前記ピローを支持可能に構成されたバンドが取り付けられており、前記バンドは、前記ピローに設けられた挿通部内に挿通されており、前記バンドは、その途中に設けられたコキ環により、長さを調節可能に構成され、前記ピローに設けられた前記挿通部は、使用者の後頭部が接触する部位と反対側の前記ピローの外側の部位に設けられ、前記ピロー及び前記アイマスク本体は、いずれも横長に形成され、前記ピローの内側面には、その左右方向の中央付近に、上下に沿って形成された窪みが設けられ、前記アイマスク本体の下部中央付近には、前記アイマスク本体を使用者の鼻に支持させる鼻当て部材が設けられているピロー付きアイマスク。
【考案の詳細な説明】
【技術分野】
【０００１】
この考案は、ピローが付属したピロー付きアイマスクに関する。
【背景技術】
【０００２】
従来、就寝時に十分に遮光を行い、熟睡効果を高めるためのアイマスクが用いられている。このようなアイマスクは、旅行時等、航空機内や列車車両で長時間移動する際等、周囲を暗くすることが困難な就寝環境において特に用いられている。このような就寝環境においては、自宅内での就寝時とは異なり、座席に座ったまま就寝することも多い。このため、アイマスクに、ピロー（枕）を付属したピロー付きアイマスクも用いられてきた（特許文献１等）。
【先行技術文献】
【特許文献】
【０００３】
【特許文献１】登録実用新案弟３０３０６３５号公報
【考案の概要】
【考案が解決しようとする課題】
【０００４】
しかしながら従来のピロー付きアイマスクでは、ピローを別途装着するように構成されており装着作業が煩雑であったり、ピローとアイマスクとの調整が簡易的ではなく装着感が十分では無く、また確実な装着が難しい一方で、使用中に簡単にずれてしまう等、使用感が良好ではなかった。
【０００５】
本考案が解決しようとする目的は、前述の従来技術の問題点を解決するものであり、装着作業が簡易であり、一方、使用者に応じた装着度合いの調製が容易であり確実に装着ができ簡単にはずれたり外れたりし難いピロー付きアイマスクを提供することにある。
【課題を解決するための手段】
【０００６】
上記課題を解決するものは以下のものである。
（１）本考案の第一の手段のピロー付きアイマスクは、
使用者の目の周囲を被覆可能なアイマスク本体と、使用者の後頭部を支持可能なピローとを備え、
前記アイマスク本体の両側部には、伸縮自在に設けられるとともに使用者の後頭部に装着された際に使用者の目の付近及び後頭部の周りに前記アイマスク本体及び前記ピローを支持可能に構成されたバンドが取り付けられており、
前記バンドは、前記ピローに設けられた挿通部内に挿通されており、
前記バンドは、その途中に設けられたコキ環により、長さを調節可能に構成されているピロー付きアイマスク。
【０００７】
（２）本考案の第二の手段のピロー付きアイマスクは、前記ピローに設けられた前記挿通部は、使用者の後頭部が接触する部位と反対側の前記ピローの外側の部位に設けられている（１）に記載のピロー付きアイマスク。
（３）本考案の第三の手段のピロー付きアイマスクは、前記ピロー及び前記アイマスク本体は、いずれも横長に形成された（１）又は（２）に記載のピロー付きアイマスク。
（４）前記ピローの内側面には、その左右方向の中央付近に、上下に沿って形成された窪みが設けられている（１）から（３）のいずれかに記載のピロー付きアイマスク。
（５）前記アイマスク本体の下部中央付近には、前記アイマスク本体を使用者の鼻に支持させる鼻当て部材が設けられている（１）から（４）のいずれかに記載のピロー付きアイマスク。
（６）使用者の目の周囲を被覆可能なアイマスク本体と、使用者の後頭部を支持可能なピローとを備え、前記アイマスク本体の両側部には、伸縮自在に設けられるとともに使用者の後頭部に装着された際に使用者の目の付近及び後頭部の周りに前記アイマスク本体及び前記ピローを支持可能に構成されたバンドが取り付けられており、前記バンドは、前記ピローに設けられた挿通部内に挿通されており、前記バンドは、その途中に設けられたコキ環により、長さを調節可能に構成され、前記ピローに設けられた前記挿通部は、使用者の後頭部が接触する部位と反対側の前記ピローの外側の部位に設けられ、前記ピロー及び前記アイマスク本体は、いずれも横長に形成され、前記ピローの内側面には、その左右方向の中央付近に、上下に沿って形成された窪みが設けられ、前記アイマスク本体の下部中央付近には、前記アイマスク本体を使用者の鼻に支持させる鼻当て部材が設けられているピロー付きアイマスク。
【考案の効果】
【０００８】
本考案のピロー付きアイマスクは、上記したように、前記アイマスク本体の両側部には、伸縮自在に設けられるとともに使用者の後頭部に装着された際に使用者の目の付近及び後頭部の周りに前記アイマスク本体及び前記ピローを支持可能に構成されたバンドが取り付けられており、前記バンドは、前記ピローに設けられた挿通部内に挿通されており、前記バンドは、その途中に設けられたコキ環により、長さを調節可能に構成されているので、装着作業が簡易であり、一方、使用者に応じた装着度合いの調製が容易であり確実に装着ができ簡単にはずれたり外れたりし難い。
【図面の簡単な説明】
【０００９】
【図１】図１は、本考案のピロー付きアイマスクの正面図である。
【図２】図２は、本考案のピロー付きアイマスクの背面図である。
【図３】図３は、本考案のピロー付きアイマスクの右側面図である。
【図４】図４は、本考案のピロー付きアイマスクのベルトについて説明する図である。
【図５】図５は、本考案のピロー付きアイマスクの収納方法を示す図である。
【図６】図６は、本考案の別のピロー付きアイマスクの正面図である。
【図７】図７は、本考案の別のピロー付きアイマスクの背面図である。
【図８】図８は、本考案の別のピロー付きアイマスクの右側面図である。
【考案を実施するための形態】
【００１０】
本考案のピロー付きアイマスクについて、図面を参照して詳細に説明する。本考案のピロー付きアイマスク１は、図１から図３に示されるように、アイマスク本体１０と、ピロー２０を備えている。そして、これらアイマスク本体１０とピロー２０とは、ベルト３０によって連結されている。以下、ピロー付きアイマスク１の各部について詳細に説明する。
【００１１】
アイマスク本体１０は、本体部１２と後述する鼻当て部材１４とから構成されており、正面視において横長の長円形状に形成されている。生地としてはスウェット素材やパイル生地を用いることができる。図３に示されるように、アイマスク本体１０の側面視においては薄く形成されており、本体部１２の内部には、装着感を向上させるためにスポンジ状の芯材が収納されている。芯材は薄く形成され、本例では約８ｍｍとされている。本例では、アイマスク本体１０は、縦約８５ｍｍ、横約１９０ｍｍに形成されている。そして、アイマスク本体１０の左右両側には、後述するベルト３０が取り付けられている。
【００１２】
本体部１２は、中央下部が凹んだ円弧状に形成されており、この本体部１２の中央下部に、鼻当て部材１４が設けられている。鼻当て部材１４は本体部１２と異なり、内部に芯材は収納されていない。この鼻当て部材１４により、アイマスク本体１０が使用者の顔により安定的に位置決めされて取り付けられる。
【００１３】
ピロー２０は横長であり、その内部には低反発ウレタンやポリエステルや綿等のクッション材が収納されている。ピロー２０は、図１に示すように、ピロー付きアイマスク１の正面視において、すなわち使用者の後頭部が接するピロー２０の内側において、左右方向における中央付近に、上部及び下部のいずれにも、内側にやや凹んだ凹み部２２ａ，２２ｂを備えた形状に形成されている。また、この凹み部２２ａから凹み部２２ｂにつながるように窪み２４が形成されている。窪み２４は、ピロー２０の前後方向において後ろ側に向けて凹んでおり、上下に溝状に形成されている。また、窪み２４は幅方向にやや緩やかに凹むように形成されている。このような窪み２４によりピロー２０の内側が使用者の後頭部の形状に沿うようにして圧着され、例えば、座席のヘッドレスト等にもたれかかった状態において、使用者の頭部が左右方向に傾き難いように構成されており、使用感を向上させるように構成されている。また、本例では、ピロー２０は、縦約１８０ｍｍ、横約２７０ｍｍ、奥行き約７８ｍｍに形成されている。なお、ピロー２０の中央付近に穴を開口しても良い。
【００１４】
また、ピロー２０の背面側（ピロー付きアイマスク１の後側）には、図２及び図３に示されるように、ベルト３０が挿通される挿通部２６が設けられている。挿通部２６は横長の袋状に形成されており、この挿通部２６の内側にベルト３０が挿通されている。挿通部２６は、ピロー２０の背面側の上下方向におけるほぼ中央付近に設けられている。本例では、挿通部２６は、縦約４０ｍｍ、横約１５０ｍｍとされている。そしてベルト３０は、この挿通部２６内において左右に移動自在に挿通されている。
【００１５】
ベルト３０には、図１及び図４に示されるように、コキ環３２が取り付けられており、このコキ環３２によって、ベルト３０の長さを調整することができ、使用者の頭部のサイズに応じて適切な長さとすることができる。本例では、ベルト３０は、幅約２０ｍｍ、長さは全長で約４８０ｍｍとされている。このようなコキ環３２を用いることにより、ファスナー等を用いたときのように、使用者の髪を挟みこんでしまうおそれを低減させることができる。
【００１６】
また、以上のように構成されたピロー付きアイマスク１は、図５に示されるように、左右方向における中央付近で折り畳み、巾着Ａ内に収容するなどして簡便に持ち運ぶことができる。
【００１７】
次に、図６から図８を参考にして、本考案の別のピロー付きアイマスク１ａについて説明する。このピロー付きアイマスク１ａでは、上記したピロー２０では上下に溝状に形成された窪み２４が設けられているところを、円形に窪んだ凹み２８が設けられている点で異なる。このような凹み２８を設けることにより、使用者の後頭部のずれ等が上下方向においても問題となりやすい場合、例えば、座席を後方に大きく倒してフラットに近いような状態となった場合や、使用者の体が座席上で上下にずれそうなおそれがあるような場合でも、使用者の頭部がずれ難いように構成されており、使用感の向上を図ることができる。
【００１８】
本考案は前述の例に限られず、本考案の主旨の範囲内で適宜の変更が可能である。例えば、アイマスク本体１０やピロー２０を構成する部材の材質は、適宜変更することができる。本例では、アイマスク本体１０及びピロー２０の形状は横長に形成されているが、他の形状とすることも可能である。また、それぞれの部材のサイズを変更しても良い。また、本例のピロー２０では内部に低反発ウレタンやポリエステルや綿等のクッション材が収納されているものとしたが、外部の素材について空気が透過されない塩化ビニル樹脂製等とした上で、内部には空気を充填可能としたものとしても良い。
【産業上の利用可能性】
【００１９】
本考案は、十分な遮光を求めるピロー付きアイマスクについて広く用いることができる。
【符号の説明】
【００２０】
１，１ａ；ピロー付きアイマスク、１０；アイマスク本体、１２；本体部、１４；鼻当て部材、２０；ピロー、２２ａ，２２ｂ；凹み部、２４；窪み、２６；挿通部、２８；凹み、３０；ベルト、３２；コキ環、Ａ；巾着。
【図１】
0003225894.tif 000003
【図２】
0003225894.tif 000004
【図３】
0003225894.tif 000005
【図４】
0003225894.tif 000006
【図５】
0003225894.tif 000007
【図６】
0003225894.tif 000008
【図７】
0003225894.tif 000009
【図８】
0003225894.tif 000010